(57)【要約】【課題】  プラグの抜き差しが容易で、プラグの保護ができることが可能なプラグカバーを提供する。【解決手段】  カバー部２には、プラグ３１が貫通挿入可能な貫通穴２Ａが設けられ、かつ、当該貫通穴２Ａを開閉可能に閉塞する蓋部３には、プラグのコードが貫通できる開口部３Ａが設けられている。これにより、利用者は、カバー部２、つまりプラグカバー１を取り外すことなく、蓋部３の開閉をすれば、プラグ３１を抜き差しでき得る。【選択図】図３
2018026316.tif 000002
【特許請求の範囲】
【請求項１】
コンセントを覆うためのカバー部であって、プラグが貫通挿入可能な貫通穴を有するカバー部と、
前記貫通穴を開閉可能に閉塞する蓋部であって、プラグのコードが貫通可能な開口部を有する蓋部と
を備えるプラグカバー。
【請求項２】
前記カバー部のうち前記貫通穴側と反対側となる背面側は開放されている請求項１に記載のプラグカバー。
【請求項３】
前記カバー部は、可撓性を有する樹脂製である請求項１又は２に記載のプラグカバー。
【請求項４】
前記蓋部は、可撓性を有する樹脂製である請求項１ないし３のいずれか１項に記載のプラグカバー。
【請求項５】
前記開口部は、鉛直方向に延びる長穴状である請求項１ないし４のいずれか１項に記載のプラグカバー。
【請求項６】
前記貫通穴は、鉛直方向に延びる長穴状であり、
さらに、前記蓋部は、鉛直方向にスライド変位可能に前記カバー部に組み付けられている請求項１ないし５のいずれか１項に記載のプラグカバー。
【請求項７】
前記カバー部のうち鉛直方向下方側は開放されている請求項１ないし６のいずれか１項に記載のプラグカバー。
【請求項８】
前記カバー部のうち前記貫通穴側と反対側となる背面側としたとき、前記カバー部の背前側に位置する縁部には、前記カバー部をコンセント側に装着するための装着部であって、接着層にて構成された装着部が設けられている請求項１ないし６のいずれか１項に記載のプラグカバー。
【請求項９】
前記カバー部の外観部には、動物を模した意匠部が設けられている請求項１ないし８のいずれか１項に記載のプラグカバー。
【発明の詳細な説明】
【技術分野】
【０００１】  本願は、壁面等に設けられたコンセントに装着されるプラグを保護するためのプラグカバーに関する。
【背景技術】
【０００２】  例えば、特許文献１に記載のプラグカバーは、コンセントに装着されたプラグをコンセントと共に覆う。プラグカバーは、プラグカバーに設けられた貼着部５にてコンセント１１の外周部に取り付けられる。貼着部５は粘着し得る接着剤層にて構成された装着部である。なお、上記の参照符号は、特許文献１に記載された参照符号である。
【先行技術文献】
【特許文献】
【０００３】
【特許文献１】特開２００２−１８６１３５号公報
【発明の概要】
【発明が解決しようとする課題】
【０００４】  特許文献１に記載の発明では、貼着部５によりプラグカバーがコンセント１１の外周部に取り付けられるので、プラグの抜き差し時にプラグカバーを外周部から取り外す必要がある。したがって、プラグの抜き差しを容易にできない、という問題がある。本願は、プラグの抜き差しが容易なプラグカバーを提供する。
【課題を解決するための手段】
【０００５】  本願では、コンセントを覆うためのカバー部（２）であって、プラグ（３１）が貫通挿入可能な貫通穴（２Ａ）を有するカバー部（２）と、前記貫通穴（２Ａ）を開閉可能に閉塞する蓋部（３）であって、プラグのコードが貫通できる開口部（３Ａ）を有する蓋部（３）とを備える。【０００６】  これにより、カバー部（２）を取り外すことなく、蓋部（３）の開閉をすれば、プラグを抜き差しでき得る。
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００７】
【図１】本発明の実施形態に係るプラグカバー１の外観斜視図である。
【図２】本発明の実施形態に係るプラグカバー１の外観斜視図である。
【図３】本発明の実施形態に係るプラグカバー１の使用状態を示す外観斜視図である。
【図４】本発明の実施形態に係るプラグカバー１の正面図であって、貫通穴２Ａを開放した状態を示す図である。
【図５】本発明の実施形態に係るプラグカバー１の正面図であって、貫通穴２Ａを閉塞した状態を示す図である。
【発明を実施するための形態】
【０００８】  以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【０００９】  以下、本発明の実施形態を図面と共に説明する。なお、各図に付された方向を示す矢印等は、各図相互の関係を理解し易くするために記載したものである。本発明は、各図に付された方向に限定されるものではない。
【００１０】  少なくとも符号を付して説明した部材又は部位は、「複数」や「２つ以上」等の断りをした場合を除き、少なくとも１つ設けられている。
（第１実施形態）
１．プラグカバーの構成
【００１１】  本実施形態は、一般家庭用コンセントを覆うためのプラグカバーに本発明を適用したものである。図１に示すように、プラグカバー１は、少なくともカバー部２及び蓋部３を有している。
【００１２】  プラグカバー１は、図３に示すように、コンセント３０又はコンセント３０が設けられた壁や柱等（以下、コンセント周囲という。）に装着されてコンセント３０を覆うものである。
【００１３】  カバー部２はコンセント３０を覆うための覆い部である。当該カバー部２は屋根部２Ｂ及び壁部２Ｃ等を有している。屋根部２Ｂは、プラグカバー１がコンセント周囲に装着された場合において、当該コンセント３０を鉛直方向上方側から覆う部位である。
【００１４】  壁部２Ｃは、プラグカバー１がコンセント周囲に装着された場合において、屋根部２Ｂの鉛直方向下方側に位置して当該コンセント３０を水平方向から覆う。なお、以下、特に断りをした場合を除き、プラグカバー１がコンセント周囲に装着された場合を基準として各方向を定義している。
【００１５】  図４に示すように、壁部２Ｃ、つまりカバー部２の前面側には貫通穴２Ａを設けられている。カバー部２の前面側とは貫通穴２Ａが設けられた部位をいう。カバー部２の背面側とは、カバー部２のうち前面側と反対側をいう。
【００１６】  貫通穴２Ａは、プラグ３１（図３参照）が貫通挿入可能な開口である。このため、本実施形に係る貫通穴２Ａの最小寸法Ｗ１は、プラグ３１の最大寸法より大きい寸法となっている。
【００１７】  本実施形態に係る貫通穴２Ａは、鉛直方向に延びる長穴状に構成されている。貫通穴２Ａの最小寸法Ｗ１は水平方向の幅寸法である。鉛直方向は、貫通穴２Ａの長手方向と一致し、その寸法は幅寸法より大きい。
【００１８】  蓋部３は、図４及び図５に示すように、貫通穴２Ａを開閉可能に閉塞する部材である。当該蓋部３には、図３に示すように、プラグ３１のコード３１Ａが貫通可能な開口部３Ａが設けられている。
【００１９】  開口部３Ａは、貫通穴２Ａの長手方向と平行な方向、つまり鉛直方向に延びる長穴状に構成されている。そして、蓋部３は、鉛直方向にスライド変位可能に壁部２Ｃに組み付けられている。
【００２０】  なお、開口部３Ａの長手方向寸法は、図４に示すように、コンセント３０に設けられた１つ又は複数の差込口３０Ａを含む領域の鉛直方向寸法以上の大きさである。このため、貫通穴２Ａが蓋部３により閉塞された状態であっても、利用者は、水平方向から１つ又は複数の差込口３０Ａを目視でき得る。
【００２１】  図２に示すように、カバー部２の背面側には、当該背面側を開放する背面開口部２Ｄが設けられている。カバー部２の鉛直方向下方側には、当該下方側を開放する下方開口部２Ｅが設けられている。つまり、壁部２Ｃは、水平方向において３方向を覆う。
【００２２】  背面開口部２Ｄの外縁部（図２において斜線が付された部位）には装着部２Ｆが設けられている。装着部２Ｆは、カバー部２をコンセント周囲に装着するため部位である。当該装着部２Ｆは、両面テープ等の接着層にて構成されている。
【００２３】  本実施形態では、屋根部２Ｂ及び壁部２Ｃは、エポキシ樹脂等の可撓性を有する樹脂製である。蓋部３は、エポキシ樹脂等の可撓性を有する樹脂製である。そして、カバー部２の外観部には、図１に示すように、動物等を模した意匠部４が設けられている。なお、屋根部２Ｂ、壁部２Ｃ及び意匠部４は、上記の樹脂にて一体成形されている。
【００２４】  ２．本実施形に係るプラグカバーの特徴
カバー部２には、プラグ３１が貫通挿入可能な貫通穴２Ａが設けられ、かつ、当該貫通穴２Ａを開閉可能に閉塞する蓋部３には、プラグのコードが貫通できる開口部３Ａが設けられている。
【００２５】  これにより、本実施形態では、利用者は、カバー部２、つまりプラグカバー１を取り外すことなく、蓋部３の開閉をすれば、プラグ３１を抜き差しでき得る。
カバー部２のうち貫通穴２Ａ側と反対側となる背面側は開放されている。これにより、コンセント周囲の形状又は大きさによらず、様々な箇所にプラグカバー１を装着することができる
【００２６】  複数の差込口３０Ａは、一般的に、鉛直方向に並んでいる。そして、本実施形態では、開口部３Ａ及び貫通穴２Ａが鉛直方向に延びる長穴状であるので、複数の差込口３０Ａが設けられているコンセント３０であっても対応でき得る。
【００２７】  本実施形態に係る蓋部３は、鉛直方向にスライド変位可能にカバー部２に組み付けられている。そして、本実施形態では、蓋部３が鉛直方向上側に位置したときに貫通穴２Ａを開放する構成である。
【００２８】  このため、蓋部３に作用する重力は、貫通穴２Ａを閉塞する位置に蓋部３を変位させる。したがって、利用者が蓋部３を閉塞することを忘れた場合であっても、蓋部３に作用する重力により貫通穴２Ａが蓋部３により閉塞され得る。延いては、蓋部３の機能、つまり貫通穴２Ａを閉塞する機能を有効的に発揮させることが可能となる。
【００２９】  本実施形態では、カバー部２のうち鉛直方向下方側は開放されている。これにより、プラグカバー１を樹脂にて成形する際の金型構造を簡素な構造とすることが可能となる。
（その他の実施形態）
【００３０】  上述の実施形態では、屋根部２Ｂ及び壁部２Ｃは可撓性を有する樹脂製であり、蓋部３も可撓性を有する樹脂製であって、屋根部２Ｂ、壁部２Ｃ及び意匠部４は、樹脂にて一体成形されていた。しかし、本発明はこれに限定されるものではなく、例えば、カバー部２を紙にて構成してもよい。
【００３１】  上述の実施形態では、カバー部２の背面側及び鉛直方向下方側が開放されていた。しかし、本発明はこれに限定されるものではなく、カバー部２の背面側及び鉛直方向下方側のうち少なくとも一方が閉塞された構成であってもよい。
【００３２】  上述の実施形態では、貫通穴２Ａ及び開口部３Ａが鉛直方向に延びる長穴状であった。しかし、本発明はこれに限定されるものではなく、例えば、丸穴や矩形穴等であってもよい。
【００３３】  上述の実施形態に係る蓋部３は、鉛直方向にスライド変位する構成であった。しかし、本発明はこれに限定されるものではなく、例えば、カバー部２に対して着脱自在な蓋部により構成された蓋部３、又はカバー部２に対して揺動変位するドアにて構成された蓋部３であってもよい。
【００３４】  上述の実施形態に係る装着部２Ｆは両面テープにて構成されていた。しかし、本発明はこれに限定されるものではなく、例えば、プラグカバー１をコンセント周囲に装着する際に接着剤を塗布する、又はコンセント周囲に両面テープを貼付してプラグカバー１を当該コンセント周囲に装着する等としてもよい。
【００３５】  上述の実施形態では、装着部２Ｆを設けていた。しかし、本発明はこれに限定されるものではなく、例えば、装着部２Ｆを廃止して、プラグカバー１がコンセントカバーに設けられた構成であってもよい。
【００３６】  上述の実施形態では、動物等を模した意匠部４が設けられていた。しかし、本発明はこれに限定されるものではない。すなわち、例えば、意匠部４が廃止された構成、又は動物以外のものをモチーフとした意匠部４が設けられた構成等であってもよい。
【符号の説明】
【００３７】１…プラグカバー
２…カバー部
２Ｂ…屋根部
２Ｃ…壁部
２Ａ…貫通穴
２Ｄ…背面開口部
２Ｅ…下方開口部
２Ｆ…装着部
３…蓋部
３Ａ…開口部
４…意匠部
３０…コンセント
３０Ａ…差込口
３１…プラグ
３１Ａ…コード
【図１】
2018026316.tif 000003
【図２】
2018026316.tif 000004
【図３】
2018026316.tif 000005
【図４】
2018026316.tif 000006
【図５】
2018026316.tif 000007